(57)【要約】【課題】より広い範囲を照射できる水中用ストロボ装置の透光カバー部を提供すること。【解決手段】本発明では、発光部と、前記発光部が装着された筐体とを備えた水中用ストロボ装置に使用され、前記筐体の前端部に固定され前記筐体の外方へ膨出形成されて前記発光部の前方を水密状態で被覆するように構成された水中用ストロボ装置の透光カバー部であって、断面形状は全体円弧状に形成されると共に、内周面部は、前記発光部の発光軸に直交する方向における前記筐体の幅寸法以下となる直径寸法を有する円の一部を形成する曲率の円弧状に形成されている。【選択図】  図３
2019090853.tif 000002
【特許請求の範囲】
【請求項１】
発光部と、前記発光部が装着された筐体とを備えた水中用ストロボ装置に使用され、前記筐体の前端部に固定され前記筐体の外方へ膨出形成されて前記発光部の前方を水密状態で被覆するように構成された水中用ストロボ装置の透光カバー部であって、
断面形状は全体円弧状に形成されると共に、内周面部は、前記発光部の発光軸に直交する方向における前記筐体の幅寸法以下となる直径寸法を有する円の一部を形成する曲率の円弧状に形成されていることを特徴とする水中用ストロボ装置の透光カバー部。
【請求項２】
発光部と、前記発光部が装着された筐体とを備えた水中用ストロボ装置に使用され、前記筐体の前端部に固定され前記筐体の外方へ膨出形成されて前記発光部の前方を水密状態で被覆するように構成された水中用ストロボ装置の透光カバー部であって、
断面形状は全体円弧状に形成されると共に、内周面部は、前記発光部の発光軸に直交する方向における当該透光カバー部の環状取付部の最大寸法以下となる直径寸法を有する円の一部を形成する曲率の円弧状に形成されていることを特徴とする水中用ストロボ装置の透光カバー部。
【請求項３】
前記透光カバー部は、当該透光カバー部の内周面部に形成された複数の凹凸により構成される内周面プリズム部を有することを特徴とする請求項１又は請求項２に記載の水中用ストロボ装置の透光カバー部。
【請求項４】
前記内周面プリズム部は、六角形の凹部又は凸部が格子状に並ぶハニカム構造であることを特徴とする請求項３に記載の水中用ストロボ装置の透光カバー部。
【請求項５】
請求項１乃至請求項４の何れか１項に記載の透光カバー部を備えた水中用ストロボ装置であって、
前記筐体の前端部に固定され、前記発光部の閃光の進路を変えるプリズム板とこのプリズム板を前記筐体の前端部から離間した状態で支えるプリズム支持脚とを有する離間プリズム部を備えることを特徴とする水中用ストロボ装置。
【請求項６】
請求項１乃至請求項４の何れか１項に記載の透光カバー部を備えた水中用ストロボ装置であって、
前記透光カバー部の外側に配置され、前記発光部から発せられ前記透光カバー部を透過した閃光の拡散を部分的に遮るように前記閃光の照射方向に突出すると共に前記透光カバー部の外周方向に回動可能に設けられたフード部を備えることを特徴とする水中用ストロボ装置。
【発明の詳細な説明】
【技術分野】
【０００１】
本発明は、水中の被写体に閃光を照射し撮影画像を鮮明化する水中用ストロボ装置及びその透光カバー部に関する。
【背景技術】
【０００２】
水中においては太陽光の赤色側の波長成分が青色側の波長成分よりも強く吸収されるため、水中で得た撮影画像は全体的に青みを帯びる。このため、水中撮影にあっては、被写体に強い閃光を照射し地上で得た撮影画像と同様に色彩豊かで魅力的な撮影画像の取得を可能にする水中用ストロボ装置が多用される（特許文献１）。
【０００３】
水中用ストロボ装置は、特許文献１に示されるように内部に放電式の発光部を内蔵し、フレキシブルアームを介して水中用カメラと連結されて用いられるのが一般的である。
【０００４】
フレキシブルアームは、折り曲げ可能に且つ水中用ストロボ装置を上下水平方向に回転可能に保持できるように構成されており、このフレキシブルアームを操作することにより、広い範囲を撮影する広角撮影や近い距離で被写体を撮影するマクロ撮影等、各種の撮影場面に柔軟に対応した適切な閃光照射が可能となる。
【先行技術文献】
【特許文献】
【０００５】
【特許文献１】特開２０００−３３０７４号公報
【発明の概要】
【発明が解決しようとする課題】
【０００６】
従来、フレキシブルアームを操作することで水中用ストロボ装置の照射方向については自在に調節できるようになっているが、より広い範囲を鮮明に撮影できるように水中用ストロボ装置の照射範囲を拡大させたい、という要請がある。
【０００７】
特に、水中撮影にあっては、陸上撮影と比べて手元の操作が難しいことや被写体が頻繁に動くことが多いことから、被写体に対する照射方向の適切な調節が陸上撮影よりも困難となりやすい。そのため、被写体に対してより適切に閃光を照射できるように水中用ストロボ装置の照射範囲を拡大させることが望まれている。
【０００８】
本発明は上記事情に鑑みてなされたもので、より広い範囲を照射できる水中用ストロボ装置の透光カバー部及びこれを備えた水中用ストロボ装置を提供することを課題とする。
【課題を解決するための手段】
【０００９】
上述した課題を解決するため、請求項１に記載の発明は、発光部と、前記発光部が装着された筐体とを備えた水中用ストロボ装置に使用され、前記筐体の前端部に固定され前記筐体の外方へ膨出形成されて前記発光部の前方を水密状態で被覆するように構成された水中用ストロボ装置用の透光カバー部であって、断面形状は全体円弧状に形成されると共に、内周面部は、前記発光部の発光軸に直交する方向における前記筐体の幅寸法以下となる直径寸法を有する円の一部を形成する曲率の円弧状に形成されていることを特徴とする。
【００１０】
「曲率」は、透光カバー部の内周面の任意位置の微小な円弧を一部とする円の中心から上記微小な円弧までの曲率半径の逆数として用いる。
【００１１】
「筐体の幅寸法」は、発光部の発光軸に沿って筐体を見たときにその筐体が非円形である場合、発光軸と直交する方向における筐体の最大の寸法を採る。
【００１２】
上述した課題を解決するため、請求項２に記載の発明は、発光部と、前記発光部が装着された筐体とを備えた水中用ストロボ装置に使用され、前記筐体の前端部に固定され前記筐体の外方へ膨出形成されて前記発光部の前方を水密状態で被覆するように構成された水中用ストロボ装置用の透光カバー部であって、断面形状は全体円弧状に形成されると共に、内周面部は、前記発光部の発光軸に直交する方向における当該透光カバー部の環状取付部の最大寸法以下となる直径寸法を有する円の一部を形成する曲率の円弧状に形成されていることを特徴とする。
【００１３】
請求項３に記載の発明は、請求項１又は請求項２に記載の透光カバー部に関するものであり、前記透光カバー部は、当該透光カバー部の内周面部に形成された複数の凹凸により構成される内周面プリズム部を有することを特徴とする。
【００１４】
請求項４に記載の発明は、請求項３に記載の内周面プリズム部に関するものであり、前記内周面プリズム部は、六角形の凹部又は凸部が格子状に並ぶハニカム構造であることを特徴とする。
【００１５】
上述した課題を解決するため、請求項５に記載の発明は、請求項１乃至請求項４の何れか１項に記載の透光カバー部を備えた水中用ストロボ装置であって、前記筐体の前端部に固定され、前記発光部の閃光の進路を変えるプリズム板とこのプリズム板を前記筐体の前端部から離間した状態で支えるプリズム支持脚とを有する離間プリズム部を備えることを特徴とする。
【００１６】
上述した課題を解決するため、請求項６に記載の発明は、請求項１乃至請求項４の何れか１項に記載の透光カバー部を備えた水中用ストロボ装置であって、前記透光カバー部の外側に配置され、前記発光部から発せられ前記透光カバー部を透過した閃光の拡散を部分的に遮るように前記閃光の照射方向に突出すると共に前記透光カバー部の外周方向に回動可能に設けられたフード部を備えることを特徴とする。
【発明の効果】
【００１７】
通常、内部の発光部を水密に被覆する透光カバー部の肉厚層（例えば、アクリル層）の屈折率は、透光カバー部の内側の空気層の屈折率よりも大きくなる。このため、略平坦に構成された従来の透光カバー部（例えば特許文献１）にあっては、発光部から発せられた閃光のうち透光カバー部の内周面接線と直交しない成分、特に透光カバー部の内周面の周縁部に向かって進む閃光の成分は、透光カバー部の内周面接線と成す角度に応じて発光軸に向かう屈折の角度が大きくなり、光の収斂によって照射範囲が狭小になりやすいものであった。
【００１８】
ここで、請求項１に記載の透光カバー部は、断面形状が全体円弧状に形成されると共に、内周面部が前記発光部の発光軸に直交する方向における前記筐体の幅寸法以下となる直径寸法を有する円の一部を形成する曲率の円弧状に形成されており、従来の透光カバー部（例えば特許文献１）と比較して透光カバー部の曲率が大きく設定されている。このため、透光カバー部の内周面の周縁部に向かって進む閃光の成分についても、透光カバー部の内周面接線と成す角度の直交性を良好に確保しやすいものとなり、発光軸に向かう屈折の角度を抑えることが可能となる。その結果、請求項１に記載の透光カバー部にあっては、従来の透光カバー部よりも光の収斂を抑えることができ、照射範囲の拡大を図ることができる。
【００１９】
また、請求項２に記載の透光カバー部は、断面形状が全体円弧状に形成されると共に、内周面部が前記発光部の発光軸に直交する方向における当該透光カバー部の環状取付部の最大寸法以下となる直径寸法を有する円の一部を形成する曲率の円弧状に形成されており、従来の透光カバー部（例えば特許文献１）と比較して透光カバー部の曲率が大きく設定されている。このため、透光カバー部の内周面の周縁部に向かって進む閃光の成分についても、透光カバー部の内周面接線と成す角度の直交性を良好に確保しやすいものとなり、発光軸に向かう屈折の角度を抑えることが可能となる。その結果、請求項２に記載の透光カバー部にあっては、従来の透光カバー部よりも光の収斂を抑えることができ、照射範囲の拡大を図ることができる。
【００２０】
従って、請求項１又は請求項２に記載の透光カバー部によれば、従来の透光カバーと比較して、より広範囲に閃光が行きわたるようになり、より広い範囲を鮮明に撮影することが可能となる。
【００２１】
その結果、陸上撮影と比べて手元の操作が難しく且つ被写体が頻繁に動くことの多い水中撮影においても、被写体に対してより適切な照射が可能となり、以って良好な撮影画像が得やすいものとなる。
【００２２】
なお、例えば光を乱反射させて拡散させる有色の拡散板を透光カバー部の前方に又は透光カバー部に代えて用いると、発光部の閃光の吸収が生じ、照射範囲の拡大と共に照射の明るさが落ちてしまう傾向がある。これに対し、請求項１又は請求項２に記載の透光カバー部によれば、透光カバー部の形状によって光の収斂を抑えることができ、従って、閃光の吸収を抑えつつ照射範囲の拡大を図ることができる。
【００２３】
また、請求項１又は請求項２に記載の透光カバー部は、従来の透光カバー部と比較して透光カバー部の曲率が大きく設定されているため、従来よりも透光カバー部の内側スペースや発光部から透光カバー部の内周面部までの距離を大きく確保しやすい。
【００２４】
従って、請求項１又は請求項２に記載の透光カバー部によれば、透光カバー部から筐体の前端部に装着された発光部までの距離が従来よりも大きくなりやすく、発光部の閃光熱の影響による透光カバー部の変質を抑えやすいものとなる。従って、水中用ストロボ装置の所期の透光及び拡散の効果を維持しやすいものとなる。
【００２５】
請求項３に記載の透光カバー部は、その内周面部に形成された複数の凹凸により構成された内周面プリズム部を有しているため、発光部から発せられた閃光は内周面プリズム部で進路が変更される。
【００２６】
内周面プリズム部の凹凸により、発光部の閃光を特定の方向に集めたり円形状に拡散配光させることができ、撮影の目的や効果に応じた照射調節を行うことが可能となる。なお、凹凸の形状は、撮影の目的や効果に応じて設定することができる。
【００２７】
従来、プリズム板と称される透光板を発光部の正面又は近傍に配置し、発光部の閃光を特定の方向に集めたり円形状に拡散配光させるなど、照射効果を操作している。
【００２８】
請求項３に記載の透光カバー部によれば、プリズム板を別途設けることなく、透光カバー部の内周面の構造によってプリズム板の効果を得ることができるため、水中用ストロボ装置の構造の簡素化を図ることができる。
【００２９】
また、内周面プリズム部は、透光カバー部の内周面部に設けられるため、水中用ストロボ装置の筐体側に固定されて用いられる従来のプリズム板と比較し、発光部の閃光熱の影響による変質を抑えることができる。従って、水中用ストロボ装置の所期の透光及び拡散の効果を維持しやすいものとなる。
【００３０】
請求項４に記載の透光カバー部は、内周面プリズム部が格子状に並ぶ六角形のハニカム構造により構成されているため、プリズムの機能を担う凹凸を湾曲した円周面に沿って稠密格子状に配列しやすく、請求項１又は請求項２の水中用ストロボ装置の透光カバー部に内周面プリズム部を設けやすいものとなる。
【００３１】
請求項５に記載の水中用ストロボ装置によれば、請求項１乃至請求項４の何れか１項に記載の効果に加えて、以下の効果を得ることができる。
【００３２】
請求項５に記載の水中用ストロボ装置によれば、プリズム板が筐体の前端部から離間した状態で支えられるため、発光部の閃光の熱の影響を受けにくく変質しにくいものとなる。従って、水中用ストロボ装置の所期の透光及び拡散の効果を維持しやすいものとなる。
【００３３】
また、請求項５に記載の水中用ストロボ装置は、請求項１乃至請求項４の何れか１項に記載の透光カバー部を備え、従来の透光カバー部（例えば特許文献１）と比較して透光カバー部の曲率が大きく設定されているため、従来よりも透光カバー部の内側スペースや発光部から透光カバー部の内周面部までの距離を大きく確保しやすいものとなる。
【００３４】
従って、請求項５に記載の水中用ストロボ装置によれば、プリズム板を筐体の前端部から従来よりも大きく離間した状態で支えることが可能となり、発光部の閃光熱の影響による変質を抑えやすいものとなる。従って、水中用ストロボ装置の所期の透光及び拡散の効果をより維持しやすいものとなる。
【００３５】
請求項６に記載の水中用ストロボ装置によれば、請求項１乃至請求項４の何れか１項に記載の効果に加えて、以下の効果を得ることができる。
【００３６】
請求項６に記載の水中用ストロボ装置によれば、フード部を水中用カメラのレンズの方向に回転移動させ、透光カバー部を透過して水中用カメラに向かう閃光を遮ることができる。
【００３７】
従って、水中用ストロボ装置から発せられ水中の浮遊粒子で反射し水中用カメラのレンズに入射する光の強度が低減し、撮影画像における水中の浮遊物に起因する目障りな白点の写り込みを抑えることができる。
【図面の簡単な説明】
【００３８】
【図１】図１は第１実施形態の水中用ストロボ装置の使用例を示す図である。
【図２】図２は第１実施形態の水中用ストロボ装置の斜視図である。
【図３】図３は第１実施形態の水中用ストロボ装置の図１Ａ-Ａ線部分断面図である。
【図４】図４は第１実施形態の水中用ストロボ装置を構成している離間プリズム部の斜視図である。
【図５】図５は第１実施形態の水中用ストロボ装置を構成している透光カバー部の照射範囲を示す図である。
【図６】図６は第２実施形態の水中用ストロボ装置の断部分面図であり、図１Ａ-Ａ線部分断面図に相当する図である。
【発明を実施するための形態】
【００３９】
添付図面を参照して、本発明に係る水中用ストロボ装置及びその透光カバー部を第１実施形態に基づき詳細に説明する。
【００４０】
（第１実施形態）
水中用ストロ装置は、水中の被写体に閃光を照射し撮影画像を鮮明化する装置であり、図１に示すように、本実施形態の水中用ストロボ装置１０は、キセノン管を有する発光部１１、筐体１２、透光カバー部２０、離間プリズム部３０、及びフード部４０を備えており、フレキシブルアーム５０を介して水中用カメラ６０と連結されて用いられる。
【００４１】
フレキシブルアーム５０は、折り曲げ可能に且つ水中用ストロボ装置１０を上下水平方向に回転可能に保持できるように構成されており、フレキシブルアーム５０を操作することにより、広い範囲を撮影する広角撮影や近い距離で被写体を撮影するマクロ撮影等、各種の撮影場面に柔軟に対応した適切な閃光照射が可能となっている。
【００４２】
なお、符号７０は、信号ケーブルであり、水中用撮影カメラ６０の内蔵フラッシュの設定情報を水中用ストロボ装置６０に伝え、そのフラッシュ設定情報に基づいた水中用ストロボ装置１０の閃光制御を可能にしている。
【００４３】
＜筐体＞
水中用ストロボ装置１０の筐体１２は、図１に示すように、発光部１１の制御回路などを水密に被覆する略円筒状の主筐体部１３、主筐体部１３から外方に張り出して主筐体部１３と一体的に形成された略半円筒状のバッテリー筐体部１４、及び主筐体部１３の照射方向端側の開口部の周囲を被覆する筐体前端部１５を有している。
【００４４】
＜透光カバー部＞
図２は図１に示す水中用ストロボ装置１０を他の方向から見た斜視図である。
水中用ストロボ装置１０の透光カバー部２０は、主筐体部１３の軸方向の外方へ向かって膨出形成されたアクリル樹脂で構成されており、図１に示す発光部１１の前方を水密状態で被覆するように構成されている。
【００４５】
図３は水中用ストロボ装置１０の要部を示す図であり、図１のＡ-Ａ線部分断面図である。
透光カバー部２０の断面形状は、図３に示すように、全体円弧状に形成されており、また、その内周面部は、発光部１１の発光軸２２に直交する方向における主筐体部１３の幅１０２の寸法以下となる直径１０１を有する仮想的な円２５の一部を形成する曲率の円弧状に形成されている。
【００４６】
透光カバー部２０の端部は、図３に示すように、主筐体部１３の前方側において主筐体部１３に固定された第一環状取付部１６に対して固定される。なお、第一環状取付部１６と透光カバー部２０とにより押圧挟持されたゴム製環状具１８が介在しており、水密状態が維持されている。
【００４７】
＜離間プリズム部＞
水中用ストロボ装置１０は、図３に示すように、発光軸２２の方向において発光部１１と重なるように設けられた離間プリズム部３０を備えている。
【００４８】
図４は離間プリズム部３０の斜視図である。離間プリズム部３０は、筐体前端部１５に固定され、プリズム板３１とこのプリズム板３１を筐体前端部１５から離間した状態で支えるプリズム支持脚３２とを有している。
【００４９】
離間プリズム部３０のプリズム板３１は、略円盤状に形成されており、発光部１１の閃光の進路を変えて円形状に拡散可能なプリズム構造を有している。なお、プリズム板３１のプリズム構造は、格子状に凹凸が配置されたハニカム構造となっている。
【００５０】
離間プリズム部３０のプリズム支持脚３２は、図３及び図４に示すように、プリズム板３１を筐体前端部１５から離間した状態で支えるように構成され、発光部１１近傍において発光部１１を跨ぐように固定される固定部３４、３４、及び固定部３４から発光軸２２に沿って発光部１１から遠ざかるように延設されると共にプリズム板３１を支える支柱部３３、３３を有している。
【００５１】
＜フード部＞
図２に示すように、水中用ストロボ装置１０のフード部４０は、透光カバー部２０の外側に配置されており、平面略半円形状に形成され、図１に示す発光部１１から発せられ透光カバー部２０を透過した閃光の拡散を部分的に遮るように閃光の照射方向に突出している。なお、フード部４０は、黒色の合成樹脂により構成されている。
【００５２】
また、フード部４０は、図２に示すように、主筐体部１３の前方端側に取り付けられた第一環状取付部１６と回動可能に噛み合う第二環状取付部１７に設けられ、透光カバー部２０の外周方向に回動可能に設けられている。
【００５３】
次に、第１実施形態の水中用ストロボ装置１０の効果を説明する。
図５は本実施形態の水中用ストロボ装置１０の照射範囲を示す図である。
【００５４】
先ず、屈折率について、以下に例示する。
空気層：約１．００
アクリル樹脂層：約１．４９
水層：約１．３３
【００５５】
水中用ストロボ装置１０の透光カバー部２０はアクリル樹脂で構成されている。このため、発光部１１から発せられ空気層１０５を進む閃光のうち透光カバー部２０の内周面接線１０８と直交しない成分は、上記の屈折率の違いによって透光カバー部２０の内周面接線１０８と成す角度に応じて発光軸２２に向かう屈折の角度が大きくなり、光の収斂によって照射範囲が狭小になる傾向がある。
【００５６】
本実施形態の水中用ストロボ装置１０を構成する透光カバー部２０は、図３に示すように、外周面及び内周面が共に断面形状が全体円弧状に形成されている。また、透光カバー部２０の内周面部は発光部１１の発光軸２２に直交する方向における主筐体部１３の幅１０２の寸法以下となる直径１０１を有する円２５の一部を形成する曲率の円弧状に形成されており、かつ、図５に示すように、従来の透光カバー部（例えば特許文献１）よりも透光カバー部の曲率が大きく設定されている。
【００５７】
このため、図５に示すように、透光カバー部２０の内周面周縁部に向かって空気層１０５を進む閃光８１についても、略平坦な従来の透光カバー部（例えば特許文献１）と比較して、内周面接線１０８と成す角度θ１が９０°に近づきやすいものとなる。
【００５８】
従って、透光カバー部２０に入射してそのアクリル樹脂層１０６を進む閃光に着目したとき、従来の透光カバー部と比較し、発光軸２２に向かう屈折の角度θ２の縮小を抑えやすいものとなる。
【００５９】
その結果、透光カバー部２０にあっては、従来の透光カバー部よりも光の収斂を抑えることができ、照射範囲の拡大を図ることができる。
【００６０】
図５の符号８３は、透光カバー部２０のアクリル樹脂層８２を透過して水層１０７を進む閃光である。閃光８３は、アクリル樹脂層１０６とその外側の水層１０７の屈折率の違により、発光軸２２から離れる拡散方向にやや屈折する。
【００６１】
アクリル樹脂層１０６の屈折率とその外側の水層１０７の屈折率の違いは、アクリル樹脂層１０６の屈折率とその内側の空気層１０５の屈折率の違いほど顕著ではない。このため、透光カバー部２０による照射範囲の収斂抑制の作用は、アクリル樹脂層１０６及びその内側の空気層１０５の屈折率の差並びにアクリル樹脂層１０６の曲率が支配的となる。
【００６２】
従って、水中用ストロボ装置１０の透光カバー部２０によれば、従来の透光カバー部２０よりも曲率が大きく設定されているため、照射範囲の収斂抑制の作用が強く働き、より広範囲に閃光が行きわたるようになる。従って、水中用ストロボ装置１０の透光カバー部２０によれば、より広い範囲を鮮明に撮影することが可能となる。
【００６３】
その結果、陸上撮影と比べて手元の操作が難しく且つ被写体が頻繁に動くことの多い水中撮影においても、被写体に対してより適切な照射が可能となり、以って良好な撮影画像が得やすいものとなる。
【００６４】
なお、例えば光を乱反射させて拡散させる有色の拡散板を透光カバー部２０の前方に又は透光カバー部２０に代えて用いると、発光部１１の光の吸収が生じ、照射範囲の拡大と共に照射の明るさが落ちてしまう傾向がある。
【００６５】
この透光カバー部２０によれば、透光カバー部２０の形状によって閃光の収斂を抑えることができるため、閃光の吸収を抑えつつ照射範囲の拡大を図ることができる。
【００６６】
また、透光カバー部２０は、図５に示すように従来の透光カバー部２７よりも曲率が大きく設定されているため、従来の透光カバー部２７を用いた場合と比較して内側スペースを大きく確保しやすい。
【００６７】
従って、透光カバー部２０によれば、透光カバー部２０から発光部１１までの距離を従来よりも大きく確保しやすくなり、発光部１１の閃光熱の影響による透光カバー部２０の変質を抑えやすいものとなる。従って、水中用ストロボ装置１０の所期の透光及び拡散の効果を維持しやすいものとなる。
【００６８】
また水中用ストロボ装置１０によれば、図３に示すようにプリズム板３１が筐体前端部１５から離間した状態で支えられるため、プリズム板３１が発光部１１の閃光の熱の影響を受けにくく変質しにくいものとなる。
【００６９】
また、水中用ストロボ装置１０によれば、図２に示すフード部４０を図１に示すように水中用カメラ６０の撮影レンズ６１の方向に回転移動させ、透光カバー部２０を透過して撮影レンズ６１に向かう閃光を遮ることができる。
【００７０】
従って、水中用ストロボ装置１０から発せられ水中の浮遊粒子で反射し水中用カメラ６０の撮影レンズ６１に入射する光の強度が低減し、撮影画像における水中の浮遊物に起因する目障りな白点の写り込みを抑えることができる。
【００７１】
（第２実施形態）
図６は第２実施形態の水中用ストロボ装置の断部分面図であり、図１のＡ-Ａ線部分断面図に相当する図である。第１実施形態と同様の構成は同一符号を付して説明を省略する。
【００７２】
第二実施形態の水中用ストロボ装置１００は、図６に示すように、透光カバー部２００の内周面部において、平面視六角形のハニカム状に形成され光の進路を変更しうる複数の凹凸部から成る内周面プリズム部２０２を有している。なお、図６のＰ部は、透光カバー部２００の内周面部の一部を拡大した模式図である。
【００７３】
なお、内周面プリズム部２０２は、閃光照射効果の設計に応じて、透光カバー部２００の内周面部の全体に又は部分的に設けられる。
【００７４】
次に、第２実施形態の水中用ストロボ装置１００の効果を説明する。
本実施形態の水中用ストロボ装置１００によれば、第１実施形態の水中用ストロボ装置１０のようにプリズム板３１を別途設けることなく、透光カバー部２００の内周面部の構造によってプリズム板３１の効果を得ることができ、水中用ストロボ装置の構造の簡素化を図ることができる。
【００７５】
以上、本発明に係る水中用ストロボ装置及びその透光カバー部を第１実施形態及び第２実施形態に基づき説明してきたが、具体的な構成については、これらの実施形態に限られるものではない。
【００７６】
透光カバー部の内周面部は、主筐体部やバッテリー筐体部を併せた筐体全体の最大幅寸法以下となる直径を有する円の一部を形成する曲率の円弧状に形成されたものであればよい。
【００７７】
また、透光カバー部は、発光部と、発光部が装着された筐体とを備えた水中用ストロボ装置に使用され、筐体の前端部に固定され筐体の外方へ膨出形成されて発光部の前方を水密状態で被覆するように構成された水中用ストロボ装置の透光カバー部であって、断面形状は全体円弧状に形成されると共に、内周面部は、発光部の発光軸に直交する方向における当該透光カバー部の環状取付部の最大寸法以下となる直径寸法を有する円の一部を形成する曲率の円弧状に形成されているものでもよい。
【００７８】
また、内周面プリズム部は、例えば、フライアイレンズ、レンズアレイ、プリズムアレイなど、光路が変化する凹凸の構造であればよい。
【産業上の利用可能性】
【００７９】
本発明の水中用ストロボ装置及びその透光カバー部は、水中の被写体に閃光を照射し撮影画像を鮮明化する閃光照射技術であり、広く産業上の可能性を有している。
【符号の説明】
【００８０】
１０、１００…水中用ストロボ装置
１１…発光部
１２…筐体
１３…主筐体部
１４…バッテリー筐体部
１５…筐体前端部
１６…第一環状取付部
１７…第二環状取付部
１８…ゴム製環状具
２０、２００…透光カバー部
２２…発光軸
３０…離間プリズム部
３１…プリズム板
３２…プリズム支持脚
３３…支柱部
３４…固定部
４０…フード部
５０…フレキシブルアーム
６０…水中用カメラ
７０…信号ケーブル
８１…透光カバー部の内側の空気層を進む閃光
８２…透光カバー部のアクリル樹脂層を進む閃光
８３…透光カバー部の外側の水層を進む閃光
１０１…直径
１０２…主筐体部の幅
１０５…空気層
１０６…アクリル樹脂層
１０７…水層
１０８…内周面接線
２０２…内周面プリズム部
【図１】
2019090853.tif 000003
【図２】
2019090853.tif 000004
【図３】
2019090853.tif 000005
【図４】
2019090853.tif 000006
【図５】
2019090853.tif 000007
【図６】
2019090853.tif 000008